(57)【要約】【課題】放熱損失を低下させ、脱離効率を高めることができる空気調和機を提供することを目的とする。【解決手段】静止式の吸湿体１３の下方に脱離ヒータ１４を設け、脱離動作時、脱離ファン１５によって吸湿体１３下方より上方へと送風することにより、脱離ヒータ１４により加熱昇温された高温風、および脱離した水分を含んだ高温高湿空気は、吸湿体１３上方へと送風されるとともに、自然気化上昇するため、放熱損失を低下させ、吸湿体１３水平方向を均一加熱して脱離効率を高めるものである。【選択図】図２
2006017395.tif 000002
【特許請求の範囲】
【請求項１】
少なくとも空気中から水分を吸着する静止式吸湿体と、前記静止式吸湿体を加熱する加熱手段と、吸着用送風手段と脱離用送風手段とを備え、前記脱離用送風手段は、前記静止式吸湿体の略垂直下方側より略垂直上方側へと送風するとともに、前記加熱手段を、前記静止式吸湿体の略垂直下方に配設する構成とした空気調和機。
【請求項２】
静止式吸湿体は略水平方向に複数分割され、分割された前記静止式吸湿体間に、加熱手段を挟持する構成とした請求項１記載の空気調和機。
【請求項３】
加熱手段は、面状であることを特徴とする請求項１または２記載の空気調和機。
【請求項４】
加熱手段は、メッシュ形状であることを特徴とする請求項１〜３のいずれか１項に記載の空気調和機。
【請求項５】
加熱手段は、複数の開口部を有する構成とした請求項１〜３のいずれか１項に記載の空気調和機。
【発明の詳細な説明】
【技術分野】
【０００１】
本発明は、室内空気を加湿する機能を備えた空気調和機に関するものである。
【背景技術】
【０００２】
従来、この種の湿度調節装置は、吸湿体上方に加熱手段を設け、脱離動作時、吸湿体の上方より下方へと送風することにより、空気を加湿している（例えば、特許文献１参照）。あるいは、吸湿体上流側の側面に加熱手段を配設し、脱離動作時、吸湿体側面を水平方向に送風することにより、空気を加湿している（例えば、特許文献２参照）。
【特許文献１】特許第１９４８３０８号公報
【特許文献２】特開２００１−１９０９２５号公報
【発明の開示】
【発明が解決しようとする課題】
【０００３】
しかしながら、前記従来の吸湿体上方側より下方側へと送風する構成では、加熱空気は自然気化上昇するため、放熱損失が大きいという課題を有していた。また、前記従来の吸湿体側面を水平方向に送風する構成では、加熱空気の自然気化上昇による放熱損失が大きく、吸湿体側面方向の温度分布が均一にならないという課題を有していた。
【０００４】
本発明は、前記従来の課題を解決するもので、放熱損失を低下させ、脱離効率を高めることができる空気調和機を提供することを目的とする。
【課題を解決するための手段】
【０００５】
前記従来の課題を解決するために、本発明の空気調和機は、少なくとも空気中から水分を吸着する静止式吸湿体と、前記静止式吸湿体を加熱する加熱手段と、吸着用送風手段と脱離用送風手段とを備え、前記脱離用送風手段は、前記静止式吸湿体の略垂直下方側より略垂直上方側へと送風するとともに、前記加熱手段を、前記静止式吸湿体の略垂直下方に配設する構成としたもので、加熱手段により加熱昇温された高温風、および脱離した水分を含んだ高温高湿空気は、吸湿体上方へと送風されるとともに、自然気化上昇するため、放熱損失を低下させ、吸湿体水平方向を均一加熱して脱離効率を高めることができる。
【発明の効果】
【０００６】
本発明によれば、放熱損失を低下させ、脱離効率を高めることができる空気調和機を提供できる。
【発明を実施するための最良の形態】
【０００７】
第１の発明は、少なくとも空気中から水分を吸着する静止式吸湿体と、前記静止式吸湿体を加熱する加熱手段と、吸着用送風手段と脱離用送風手段とを備え、前記脱離用送風手段は、前記静止式吸湿体の略垂直下方側より略垂直上方側へと送風するとともに、前記加熱手段を、前記静止式吸湿体の略垂直下方に配設する構成としたもので、加熱手段により加熱昇温された高温風、および脱離した水分を含んだ高温高湿空気は、吸湿体上方へと送風されるとともに、自然気化上昇するため、放熱損失を低下させ、吸湿体水平方向を均一加熱して脱離効率を高めることができる。
【０００８】
第２の発明は、特に、第１の発明において、静止式吸湿体は略水平方向に複数分割され、分割された前記静止式吸湿体間に、加熱手段を挟持する構成としたもので、脱離動作時、加熱手段より上方（下流側）の吸湿体は高温風により加熱し、吸湿体間に挟持された加熱手段より下方（上流側）の吸湿体は輻射熱により加熱することにより、放熱損失を低下
させ、吸湿体垂直方向の温度分布を均一化することができるため、加熱手段の入力を低減し、脱離効率を高めることができる。
【０００９】
第３の発明は、特に、第１または第２の発明の加熱手段の形状を、面状とすることにより、吸湿体全面を均一に加熱することができるとともに、コンパクト化することができる。
【００１０】
第４の発明は、特に、第１〜第３のいずれか１つの加熱手段の形状を、メッシュ形状とすることにより、脱離動作時、加熱手段下方より上方へ、メッシュにより形成された微細空間に空気を通過させて加熱昇温させることができるため、熱交換効率を高めることができる。
【００１１】
第５の発明は、特に、第１〜第３のいずれか１つの発明の加熱手段が、複数の開口部を有する構成としたもので、脱離動作時、加熱手段下方より上方へ、開口部により形成された小空間に空気を通過させて加熱昇温させることができるため、熱交換効率を高めることができる。
【００１２】
以下、本発明の実施の形態について、図面を参照しながら説明する。なお、本実施の形態によって本発明が限定されるものではない。
【００１３】
（実施の形態１）
図１は、本発明の第１の実施の形態における空気調和機断面構成図を示すものである。
【００１４】
図１において、空気調和機は、室外に配置された室外機１と、室内に配置された室内機２とを備えている。室内機２には、室内熱交換器３と室内ファン（図示せず）と加湿空気供給路４とが配置されている。室外機１は、室外熱交換ユニット５および加湿ユニット６より構成されている。
【００１５】
室外熱交換ユニット５には、圧縮機７と四方弁８と室外熱交換器９と膨張弁１０と室外ファン１１とが配置されている。圧縮機７と四方弁８と室内熱交換器３と膨張弁１０と室外熱交換器９とは、冷媒配管１２により接続され冷媒が循環する冷媒回路が形成されており、四方弁８の切り換えにより冷房運転と暖房運転とが切り換わる。暖房運転時には、圧縮機７より吐出された高温ガス冷媒が四方弁８を介して室内熱交換器３に送られ、凝縮された高圧液冷媒は膨張弁１０を介して減圧されて室外熱交換器９に送られ、四方弁８を介して圧縮機７に戻される。
【００１６】
加湿ユニット６は、静止式の吸湿体１３と、吸湿体１３の下側に脱離ヒータ１４とが配置されている。吸湿体１３は、一般に静止式および回転式に分類される。静止式は、吸湿体１３は固定して配置され、吸着動作時は空気に含まれる水分を吸着し、脱離動作時は脱離ヒータ１４により吸湿体１３を加熱して、吸着動作時に吸着された水分を脱離させる。
【００１７】
一方、回転式は、吸湿体１３が回転することにより吸着部および脱離部を交互に通過し、吸着部では空気に含まれる水分を吸着し、脱離部では脱離ヒータ１４により加熱された空気が通過することにより、吸着部で吸着された水分を脱離させる。本願では、静止式の吸湿体１３を用い、吸湿体１３はゼオライトやシリカゲル等の吸湿材を担持した構成とされている。
【００１８】
吸湿体１３の上方（下流側）には脱離用送風手段である脱離ファン１５の吸込側が配置され、脱離ファン１５の吹出側には加湿空気供給路４が設けられている。吸湿体１３の下方（上流側）には、室外空気を吸い込む吸気口１６が配置されている。また、吸湿体１３
の下流側には、吸着用送風手段である吸着ファン１７と排気口１８が配置されている。
【００１９】
図２は、本発明の第１の実施の形態における加湿ユニット斜視構成図を示すものである。
【００２０】
図２において、加湿ユニット６は、吸着動作時（吸着経路ａ）、吸湿体１３は吸気口１６より流入した室外空気に含まれる水分を吸着する。吸湿体１３に水分が吸着された空気は、吸着ファン１７により排気口１８より室外へ排出される。脱離動作時（脱離経路ｂ）、室外空気は吸湿体１３の下方に設けた脱離ヒータ１４により加熱されて高温空気となり、脱離ファン１５によって吸湿体１３の下方から上方へと高温空気を通過させることにより、吸着動作時に吸着された水分を吸湿体１３より脱離させる。
【００２１】
吸湿体１３を通過した空気は、脱離した水分を含む高温高湿空気となり、吸湿体１３上方へと自然気化上昇するとともに、脱離ファン１５によって加湿空気供給路４へと導入される。なお、加湿空気供給路４は、内部を通過する高温高湿空気が冷却されて水分が結露しないよう、断熱されている。
【００２２】
以上のように、本実施の形態においては、静止式の吸湿体１３下方に脱離ヒータ１４を設け、脱離動作時、脱離ファン１５によって吸湿体１３下方より上方へと送風することにより、脱離ヒータ１４により加熱昇温された高温風、および脱離した水分を含んだ高温高湿空気は、吸湿体１３上方へと送風されるとともに、自然気化上昇するため、放熱損失を低下させ、吸湿体１３水平方向を均一加熱して脱離効率を高めることができる。
【００２３】
（実施の形態２）
図３は、本発明の第２の実施の形態における静止式吸湿体および加熱手段斜視構成図を示すものである。
【００２４】
図３において、静止式の吸湿体１３は水平方向に２分割されており、下部吸湿体１３ａの下方に下部脱離ヒータ１４ａを、下部吸湿体１３ａと上部吸湿体ｂとの間に上部脱離ヒータ１４ｂを設ける。なお、吸着動作時および脱離動作時の作用は、実施の形態１と同様である。
【００２５】
以上のように、本実施の形態においては、静止式の吸湿体１３を水平方向に分割し、下部吸湿体１３ａの下方、および下部吸湿体１３ａと上部吸湿体ｂとの間に、それぞれ下部脱離ヒータ１４ａおよび上部脱離ヒータ１４ｂを設けることにより、脱離動作時、下部吸湿体１３ａは下部脱離ヒータ１４ａ、上部吸湿体ｂは上部脱離ヒータ１４ｂにより加熱昇温された高温風により加熱するとともに、下部吸湿体１３ａの上面は上部脱離ヒータ１４ｂの輻射熱により加熱することにより、放熱損失を低下させ、吸湿体１３の垂直方向の温度分布を均一化することができるため、下部脱離ヒータ１４ａおよび上部脱離ヒータ１４ｂの入力を低減し、脱離効率を高めることができる。
【００２６】
（実施の形態３）
本実施の形態では、脱離ヒータ１４を面状ヒータとする。面状ヒータは、例えば、金属箔を絶縁体で挟持し、厚さ約５ｍｍとしたヒータであり、吸湿体１３下方の全面に設けることができるため、吸湿体１３全面を均一に加熱することができる。さらに、厚さが薄いため、コンパクト化することができる。
【００２７】
（実施の形態４）
本実施の形態では、脱離ヒータ１４をメッシュヒータとする。メッシュヒータは、例えば、構成材料をＳＵＳ３０４、線径０．１ｍｍ、メッシュ数は５０メッシュとしたヒータ
であり、脱離動作時、メッシュヒータの下方より上方へ、メッシュにより形成された微細空間に空気を通過させて加熱昇温させることができるため、熱交換効率を高めることができる。
【００２８】
（実施の形態５）
本実施の形態では、脱離ヒータ１４を開口部を設けた面状ヒータとする。開口部を設けた面状ヒータは、例えば、金属箔を絶縁体で挟持し、φ３ｍｍ、中心間距離５ｍｍの開口部を全面に設けたヒータであり、脱離動作時、開口部を設けた面状ヒータの下方より上方へ、開口部により形成された小空間に空気を通過させて加熱昇温させることができるため、熱交換効率を高めることができる。
【図面の簡単な説明】
【００２９】
【図１】本発明の実施の形態１における空気調和機の断面構成図
【図２】同加湿ユニットの斜視構成図
【図３】本発明の実施の形態２における静止式吸湿体および加熱手段の斜視構成図
【符号の説明】
【００３０】
４  加湿空気供給路
５  室外熱交換ユニット
６  加湿ユニット
１３  吸湿体
１３ａ  下部吸湿体
１３ｂ  上部吸湿体
１４  脱離ヒータ（加熱手段）
１４ａ  下部脱離ヒータ
１４ｂ  上部脱離ヒータ
１５  脱離ファン
１６  吸気口
１７  吸着ファン
１８  排気口
【図１】
2006017395.tif 000003
【図２】
2006017395.tif 000004
【図３】
2006017395.tif 000005